(57)【要約】【課題】  取り外した際に取付け対象物の取付け面を損傷したりする恐れがないようにすると共に、取付け面が凹凸のある非平滑面であったり、曲面その他によって平坦面な取付け面の面積が少ない場合にも、必要な保持力を確保した状態で使用を可能にした吊下げ具を、簡単な構成によって安価に提供するものである。【解決手段】  接着テープ５の貼着面を介して取付け対象物６の取付け面に吊下げ具本体２を接着し、吊下げ具本体２と一体に形成したフック状の係止部５に物を吊下げて使用する吊下げ具１であって、接着テープ５はプラスチック材による柔軟性のある薄い透明フィルムを基材として貼着面側に粘着層を設け、基材は吊下げ具本体２からはみ出す態様で広い貼着面積で形成すると共に、粘着層には弱粘着性の粘着剤を用いていることを特徴とする。【選択図】        図１
0003110178.tif 000002
【実用新案登録請求の範囲】
【請求項１】
接着テープの貼着面を介して取付け対象物の取付け面に吊下げ具本体を接着し、吊下げ具本体と一体に形成したフック状の係止部に物を吊下げて使用する吊下げ具であって、
前記接着テープはプラスチック材による柔軟性のある薄い透明フィルムを基材として貼着面側に粘着層を設け、この基材は吊下げ具本体からはみ出す態様で広い貼着面積で形成すると共に、粘着層には弱粘着性の粘着剤を用いていることを特徴とした吊下げ具。
【請求項２】
上記吊下げ具における接着テープは、粘着層の粘着力を１００〜２００ｇ／２５ｍｍ巾にした弱粘着性にすると共に、基材の貼着面積を吊下げ具本体の２〜３倍に形成した請求項１に記載した吊下げ具。
【考案の詳細な説明】
【技術分野】
【０００１】
本考案は、貼着面を介して壁面その他の取付け対象物の取付け面に吊下げ具本体を接着すると共に、吊下げ具本体と一体に形成したフック状の係止部に物を吊下げて使用する吊下げ具に係り、特に取り外した際に壁面などの取付け対象物を損傷したりすることがないように、接着することを可能にした吊下げ具に関する。
【背景技術】
【０００２】
この種の吊下げ具は、薄板金属板の折り曲げ加工や合成樹脂材の成形などによって、吊下げ具本体とフック状の係止部とを一体に形成すると共に、吊下げ具本体の貼着面に接着剤を塗布したり、予め貼付面に接着した両面接着形の粘着テープなどの接着手段を介して壁面などの取付け対象物に固着して使用される。
【０００３】
しかしながら、接着剤や粘着テープなどの接着手段を介して取付け対象物に固着する場合には、取付け位置が不適切で付け直しする際や不要になって取り外した際に、取付け対象物の表面を損傷させたり、接着手段が取付け対象物に残余して美観を損ねる恐れがあり、保持力を補強するためにねじ釘類を併用した場合にも同様の問題が発生する。
【０００４】
また、取付け対象物の取付け面が凹凸のない平滑面であり且つ、貼着に必要な面積が確保されている場合には問題とならないが、例えば布張り壁やコンクリート壁或いは小径のタイルなどのように、取付け面が凹凸のある非平滑面であったり、曲面その他によって平坦面な取付け面の面積が少ない場合などでは、取付け不能又は十分な保持力を得ることができない。
【０００５】
なお、この種の吊下げ具には例えば特許文献１〜３などの提案も行われている。
【特許文献１】特開平１１−３１８６８６号公報
【特許文献２】特開２０００−５１０５８号公報
【特許文献３】特開２００４−４１５３８号公報
【考案の開示】
【考案が解決しようとする課題】
【０００６】
そこで本考案では、これら従来技術の課題を解決し得る吊下げ具であって、特に取り外した際に取付け対象物の取付け面を損傷したりする恐れがないようにすると共に、取付け面が凹凸のある非平滑面であったり、曲面その他によって平坦面な取付け面の面積が少ない場合にも、必要な保持力を確保した状態で使用を可能にした吊下げ具を、簡単な構成によって安価に提供するものである。
【課題を解決するための手段】
【０００７】
本考案による吊下げ具は、接着テープの貼着面を介して取付け対象物の取付け面に吊下げ具本体を接着し、吊下げ具本体と一体に形成したフック状の係止部に物を吊下げて使用する吊下げ具であって、前記接着テープはプラスチック材による柔軟性のある薄い透明フィルムを基材として貼着面側に粘着層を設け、この基材は吊下げ具本体からはみ出す態様で広い貼着面積で形成すると共に、粘着層には弱粘着性の粘着剤を用いていることを特徴とする。（請求項１）
【０００８】
上記吊下げ具における接着テープは、粘着層の粘着力を１００〜２００ｇ／２５ｍｍ巾にした弱粘着性にすると共に、基材の貼着面積を吊下げ具本体の２〜３倍に形成した形態を採ることができる。（請求項２）
【考案の効果】
【０００９】
本考案の吊下げ具によると、接着テープは基材が柔軟性のある薄い透明フィルムであるから取付け面に良く馴染むと共に、粘着層が弱粘着性であるから取付け面に対して広い面積で接合し、吊下げ具本体を支える全体の保持力には不足はなく、フック状の係止部によって物を吊り下げることができる。
【００１０】
また、接着テープの基材が透明フィルムであるから吊下げ具本体からはみ出した状態でも美観を損ねることはなく、取付け位置が不適切で付け直しする際や不要になって取り外した際には容易に剥離することができると共に、取付け対象物の取付け面を損傷させたり、取付け面に粘着層を残余させることがないので、美観を損ねる恐れがない
【００１１】
また、接着テープは基材が柔軟で且つ吊下げ具本体より広い貼着面積を備えているので、取付け対象物の取付け面が凹凸のある非平滑面の場合でも使用が可能であり、取付け面が曲面の場合でも曲面に沿って貼着することができ、取付け面が狭い場合でも上下又は左右に折り曲げた状態にして貼着することができる。
【００１２】
さらに、接着テープは取付け対象物の取付け面に適合させて所望の形状やサイズに切断して使用するが可能であり、予め大きめなサイズに設定しておき、取付け面の表面状態や形状などによって、必要な接着保持力が確保され且つ体裁が良くなるように、所望の形状やサイズに切断して使用することができる。
【実施例】
【００１３】
本考案の吊下げ具について、本考案を適用した好適な実施形態を示す添付図面に基づいて詳細に説明すると、吊下げ具１は図１の斜視図で示すように、吊下げ具本体２とフック状の係止部３とが一体に形成されており、この実施例では薄板金属板を用いて折り曲げ加工されているが、合成樹脂材を用いて射出成形する形態を採ることもできる。
【００１４】
吊下げ具本体２には、図２の横断面図で示すように、裏面側に設けた接着層４を介して幅広の貼着面を形成する接着テープ５が装着されており、接着層４としては接着剤を塗布したり、自己粘着性の両面接着テープを用いて、吊下げ具本体２と接着テープ５との間を強固に接合するが、図示の実施例では接着層４として自己粘着性の両面接着テープを用いている。
【００１５】
接着テープ５は、例えばポリエステルやポリエチレンその他のプラスチック材による柔軟性のある薄い透明フィルムを基材５ａとし、貼着面側に粘着層５ｂを設けた自己粘着性であって、この粘着層５ｂは通常は粘着剤として強粘着性又は中粘着性のものを使用するところを、敢えて弱粘着性の粘着剤を用いると共に、粘着力の不足分は接着する貼着面積を大きくすることによって補い、全体として必要な保持力を確保している。
【００１６】
すなわち、従来の技術では強固に接合できるように粘着力を少なくとも３００ｇ／２５ｍｍ巾以上（ＪＩＳＺ０２３７の試験法による）にしていたのに対し、粘着力を例えば１００〜２００ｇ／２５ｍｍ巾にした弱粘着性にすると共に、接着テープ５が吊下げ具本体２より２〜３倍の面積ではみ出すように貼着面を大きく形成し、取付け対象物６の取付け面に接着する貼着面積を増やして全体の接着力を向上させている。
【００１７】
なお、粘着性の程度に関する一般的な基準では、ＪＩＳＺ０２３７の試験法によって測定した粘着力が、２００ｇ／２５ｍｍ巾以下のものを弱粘着性として２００ｇ／２５ｍｍ巾以上のものを強粘着性としたり、２００ｇ／２５ｍｍ巾以上のもの２つに分けて２００〜９００ｇ／２５ｍｍ巾のものを中粘着性とし、９００ｇ／２５ｍｍ巾以上のものを強粘着性とする場合もある。
【００１８】
吊下げ具１は、販売する際の一形態として例えば図３の横断面図で示すように、接着テープ５の粘着層５ｂ側には保護用の剥離紙７を貼付させ、台紙８上に複数個の吊下げ具１（図面では１個のみを表示）を載せると共に、台紙８上に被着した透明カバー９によって各吊下げ具１を押さえた状態にしてパッケージされ、購入したユーザーは透明カバー９を取り外して吊下げ具１を取出し、剥離紙７を剥がして使用する。
【００１９】
また、吊下げ具１を取り付ける際には図１で示すように、取付け対象物６の取付け面に接着テープ５を宛って押し延ばすようにして貼着するが、接着テープ５は基材５ａが柔軟性のある薄い透明フィルムであるから取付け面に良く馴染むと共に、粘着層５ｂが弱粘着性であるから取付け面に対して広い面積で接合し、吊下げ具本体２を支える全体の保持力には不足はなく、フック状の係止部３によって物を吊り下げることができる。
【００２０】
しかも、透明フィルムであるから吊下げ具本体２からはみ出した状態でも美観を損ねることはなく、また取付け位置が不適切で付け直しする際や不要になって取り外した際には容易に剥離することができると共に、取付け対象物６の取付け面を損傷させたり、取付け面に粘着層５ｂを残余させることがないので、美観を損ねる恐れがない。
【００２１】
従って、取付け対象物６Ａの取付け面が例えば図４（ａ）のように、凹凸のある非平滑面の場合でも使用することが可能であり、図４（ｂ）のように取付け対象物６Ｂの取付け面が曲面の場合には、曲面に沿って接着テープ５を貼着することができ、図４（ｃ）のように取付け対象物６Ｃの取付け面が狭い場合には、吊下げ具本体２からはみ出している接着テープ５の上下又は左右を折り曲げた状態にして貼着することができる。
【００２２】
また、図示の実施例では接着テープ５を予め定形に切断した状態で形成しているが、接着テープ５は取付け対象物６の取付け面に適合させて所望の形状やサイズに切断することが可能であり、接着テープ５を予め大きめなサイズに設定しておき、取付け面の表面状態や形状などに応じて、必要な接着保持力が確保され且つ体裁が良くなるように任意に切断して使用することができる。
【図面の簡単な説明】
【００２３】
【図１】本考案を適用した実施例による吊下げ具の斜視図を示す。
【図２】図１の吊下げ具のII−II線に沿った横断面図を示す。
【図３】図１の吊下げ具を販売する際におけるパッケージの一形態を横断面図で示す。
【図４】図１の吊下げ具の各種の取付け対象物に対する使用状態を斜視図で示す。
【符号の説明】
【００２４】
１  吊下げ具
２  吊下げ具本体
３  係止部
４  接着層
５  接着テープ
５ａ  基材
５ｂ  粘着層
６，５Ａ，６Ｂ，６Ｃ  取付け対象物
７  剥離紙
８  台紙
９  透明カバー
【図１】
0003110178.tif 000003
【図２】
0003110178.tif 000004
【図３】
0003110178.tif 000005
【図４】
0003110178.tif 000006